(57)【特許請求の範囲】
【請求項１】
容器本体を傾斜して内溶液を注出するようにした間接飲み用栓体と、直接飲み部材の飲み口に直接に口をつけて内溶液を飲むようにした直接飲み用栓体との二種類の栓体とを備え、前記間接飲み用栓体と直接飲み用栓体とは、容器本体の栓孔に選択して嵌挿して固定できるようにした液体容器の栓において、
前記間接飲み用栓体と直接飲み用栓体とはいずれも、容器本体の栓孔に嵌挿される略筒状の１個の栓本体と、この栓本体に着脱自在に設けられて栓本体との間で栓内液通路が形成される間接飲み用栓体用の第１栓副体又は直接飲み用栓体用の第２栓副体とで分離可能に形成し、
前記栓本体は、閉栓時に容器本体の栓孔を封止するパッキンと、前記栓内液通路を開閉する弁体とを設けてなり、前記パッキン及び弁体とを設けた１個の栓本体に対して第１栓副体と第２栓副体とを差し替えることにより、間接飲み用栓体または直接飲み用栓体として選択使用できるように構成してあることを特徴とする液体容器の栓。
【請求項２】
容器本体を傾斜して内溶液を注出するようにした間接飲み用栓体と、直接飲み部材の飲み口に直接に口をつけて内溶液を飲むようにした直接飲み用栓体との二種類の栓体とを備え、前記間接飲み用栓体と直接飲み用栓体とは、容器本体の栓孔に選択して嵌挿して固定できるようにした液体容器の栓において、
前記容器本体の底部には収納凹部を形成し、この収納凹部に二種類の栓体のうち使用しない栓体を収納するようにしてあることを特徴とする液体容器の栓。
【発明の詳細な説明】
【０００１】
【発明の属する技術分野】
本発明は、携帯用魔法瓶、卓上用魔法瓶、水筒等の液体容器において、同一の容器本体の栓孔に異なる二種類の栓体を差し替えることにより、用途の異なる二種類の栓体を備えた液体容器の栓に関する。
【０００２】
【従来の技術】
従来より、この種の液体容器用の栓では、（イ）  容器本体を傾斜して栓内液通路の注出口から内容液をコップ等に注出するようにした間接飲み用栓体や、ストローの飲み口に直接に口をつけて内容液を飲むようにした直接飲み用栓体などが知られている。
【０００３】
前述の間接飲み用栓体や直接飲み用栓体は異なる構造であるため、それらの栓体を嵌脱自在に嵌挿する液体容器の容器本体も異なる構造のものであり、使用目的に応じて別個の液体容器を使い分ける必要があった。換言すれば、従来の液体容器の栓は１つの容器本体に対して間接飲みと直接飲みとに選択して使用することはできないという問題があった。
【０００４】
このような問題を解消するため、（ロ）  特開平９−３１３３６３号公報に示された液体容器の栓が知られている。この公報記載の液体容器の栓は、１つの容器本体の栓孔に、間接飲み用の第１液通路と直接飲み用の第２液通路との２系統の液通路を有する１つの栓体を嵌脱自在に嵌挿し、第１液通路を開閉する第１弁体、第２液通路を開閉する第２弁体、第１弁体及び第２弁体の開閉手段として用いる飲み口部材を有しており、前記飲み口部材は外部からの操作により別異の二態様の作動が可能であって、その一態様の作動時に前記第２液通路を閉塞したまま第１液通路を閉塞せしめ、他の一態様の作動時に第１液通路を閉塞したまま前記第２液通路を開閉せしめるようにしてなるものである。
【０００５】
上記（ロ）のものによれば、１つの容器本体に１つの栓体を嵌挿して、所定の操作を行なうことにより、間接飲み用と直接飲み用のいずれかに切り替えて使用できるものであるため、従来例（イ）のものに比べて極めて便利なものとなる。
【０００６】
【発明が解決しようとする課題】
しかしながら、前記（ロ）のものでは、第２液通路、第２弁体、飲み口部材及び注ぎ口開閉部材など多数の部品を１つの栓体に組み込まねばならず、部品点数が多くなるばかりか構造が煩雑となるという難点がある。
【０００７】
また、第１液通路と第２液通路の開閉は、飲み口部材の上下動、又は回転・スライドなどの別異の作動が必要であるため、使用者が操作する際には煩雑で面倒であるなどの問題がある。
【０００８】
本発明は、上記従来例（イ）、（ロ）の問題点を解消しようとするものであり、１つの容器本体の栓孔に差し替え可能な間接飲み用栓体と直接飲み用栓体の二種類の栓体を用いることによって、間接飲みと直接飲みのいずれかを選択して使用できるだでなく、両栓体は部品点数の増大化を防止できるとともに構造の簡単化が図られ、さらに間接飲みと直接飲みの各操作が、使用者にとって簡単容易で確実に行なえ、更に二種類の栓体を１つの容器本体に嵌合ないし収容しておくことで使い勝手が良好な液体容器の栓を提供することを目的とする。
【０００９】
【課題を解決するための手段】
上記目的を達成するため、本発明は、容器本体を傾斜して内溶液を注出するようにした間接飲み用栓体と、直接飲み部材の飲み口に直接に口をつけて内溶液を飲むようにした直接飲み用栓体との二種類の栓体とを備え、前記間接飲み用栓体と直接飲み用栓体とは、容器本体の栓孔に選択して嵌挿して固定できるようにした液体容器の栓において、前記間接飲み用栓体と直接飲み用栓体とはいずれも、容器本体の栓孔に嵌挿される略筒状の１個の栓本体と、この栓本体に着脱自在に設けられて栓本体との間で栓内液通路が形成される間接飲み用栓体用の第１栓副体又は直接飲み用栓体用の第２栓副体とで分離可能に形成し、前記栓本体は、閉栓時に容器本体の栓孔を封止するパッキンと、前記栓内液通路を開閉する弁体とを設けてなり、前記パッキン及び弁体とを設けた１個の栓本体に対して第１栓副体と第２栓副体とを差し替えることにより、間接飲み用栓体または直接飲み用栓体として選択使用できるように構成してあることを特徴とする（請求項１参照）。これによれば、部品点数が更に減少できる上に構造が簡単となる。
【００１０】
間接飲み用栓体と直接飲み用栓体とを、容器本体の栓孔に嵌挿するとともに該容器本体に固定する具体的構造としては、前記要素を充足する限り、本発明では特に限定されず任意である。
【００１１】
例えば、間接飲み用栓体の取付け時には、容器本体の栓孔に間接飲み用栓体を嵌挿するとともに、容器本体または容器本体に取り付けられた肩部に形成した雄ねじに外蓋の雌ねじを螺合して前記間接飲み用栓体を被蓋するようにした外蓋を設ける一方、直接飲み用栓体の取付け時には、該直接飲み用栓体のスカート部に形成した雌ねじを前記容器本体または容器本体に取りつけられた肩部に形成した雄ねじに螺合して容器本体の栓孔を閉塞するようすることができる。つまり、間接飲み用栓体において外蓋を容器本体または容器本体に取りつけられた肩部に螺合する螺合部は公知技術であるが、この公知の雄ねじに直接飲み用栓体のスカート部に形成した雌ねじを螺合するように構成したもので、肩部の雄ねじを共用してなるものでもよい（図１、図２参照）。
【００１２】
この場合、直接飲み用栓体は、該直接飲み用栓体の栓本体に形成した雄ねじを、容器本体の開口縁に形成され間接飲み用栓体の雄ねじに螺合される雌ねじに螺合するようにした方が好ましい。このように、直接飲み用栓体が、間接飲み用栓体使用時の外蓋の螺合部と間接飲み用栓体螺合部との二個所で螺着されるため、該直接飲み用栓体が容器本体から螺解され難くなる利点がある。
【００１３】
また、本発明では、容器本体の底部には収納凹部を形成し、この収納凹部に二種類の栓体のうち使用しない栓体を収納するようにしてなる（請求項２参照）方が好ましい。このようにすることにより、使用中の栓体は容器本体の栓孔に嵌合するとともに、不使用中の栓体は前記容器本体の底部に形成した収納凹部に収納することができるため、使い勝手がよく便利である。
【００１４】
この場合、容器本体の底部に形成した収納凹部の形状や構造は、適宜設計変更できるものであり、本発明では特に限定しないものである。
【００１５】
たとえば、容器本体の底部に形成した収納凹部の下部内周側壁には、前記容器本体の栓孔に形成した雌ねじと同一の雌ねじを形成するとともに、容器本体の底部の外周側壁には前記肩部に形成した雄ねじと同一の雄ねじを形成し、前記収納凹部に直接飲み用栓体を収納する場合には、該直接飲み用栓体の雄ねじを前記収納凹部の雌ねじに、また直接飲み用栓体の雌ねじを容器本体の底部に形成した前記雄ねじに、それぞれ螺合するとともに、該直接飲み用栓体のスカート部に形成した雄ねじに第２の外蓋に形成した雌ねじを螺合して、第２の外蓋により直接飲み用栓体を被蓋し、前記収納凹部に間接飲み用栓体を収納する場合には、該間接飲み用栓体の雄ねじを前記収納凹部の雌ねじに螺合するとともに、容器本体の底部の外周側壁に形成した雄ねじに外蓋の雌ねじを螺合して、該外蓋で間接飲み用栓体を被蓋するようにすることもできる（図１１参照）。これによれば、二種類の栓体が１つの容器本体の上下両端部に螺合により保持しておけるとともに、容器本体の底部に螺着した外蓋（コップを兼用している方が好ましいが、そうでなくてもよい。）が容器本体の底板としての役割を果たす。
【００１６】
【発明の実施の形態１】
本発明の実施の形態の第１例を図１〜図１０に基づいて以下に説明する。
【００１７】
この液体容器は、内容器１Ａと外容器１Ｂとの間に断熱空間２を形成した容器本体１と、容器本体１の内容器１Ａの栓孔３をそれぞれ閉塞できる間接飲み用栓体２０及び直接飲み用栓体４０と、閉栓状態で前記間接飲み用栓体２０と容器本体１の口部とを被蓋するコップ兼用の外蓋６０とを備えている。
【００１８】
前記容器本体１は、金属で形成された有底筒状の内容器１Ａと、同じく金属で形成された底板４を底体５と接合した外容器１Ｂとで二重容器を形成し、内外両容器１Ａ、１Ｂ間に形成される隙間を真空排気することにより同隙間を真空の断熱空間２としてあり、容器本体１の栓孔３には間接飲み用栓体２０または直接飲み用栓体４０のいずれかが嵌挿される。
【００１９】
前記間接飲み用栓体２０は、図１及び図１０に示すように、略筒状の栓本体２１と、該栓本体２１の下部内の中央部に立設したガイド筒２２に螺合２４した栓副体２３と、栓本体２１と栓副体２３との間に形成され容器本体１の内部と外部とを連通する栓内液通路２５と、弁棒部２７ａをガイド筒２２内から栓副体２３内に臨ませるようにバネ２６で上方に付勢し、かつ前記栓内液通路２５を開閉する弁体２７と、栓副体２３内に設けられ押圧操作により弁体２７を下動して開弁する弁開閉機構２８とを備えている。前記弁開閉機構２８は、押圧板２９と、この押圧板２９と栓副体２３との間に揺動部材３０を介在するとともに、該揺動部材３０の下部には傾斜面ｂを有するリブａが形成されている。従って、外蓋６０を取り外した状態で、弁開閉機構２８の押圧板２９を押し下げることにより揺動部材３０のリブａの傾斜面ｂが弁棒部２７ａを下動し弁体２７が開弁される。この開弁時に容器本体１を傾斜して栓内液通路２５の注出口２５ａから内容液を注出するようにしてある。
【００２０】
間接飲み用栓体２０を容器本体１に取り付ける具体的構成を説明すると、図１及び図１０に示すように、間接飲み用栓体２０の栓本体２１の外周に形成した雄ねじ２１ａを容器本体１の開口縁に形成した雌ねじ６に螺合する。そして、容器本体１の肩部１ｃに形成した雄ねじ７に外蓋（コップ兼用外蓋）６０の雌ねじ６１を螺合して、前記間接飲み用栓体２０を外蓋（コップ兼用外蓋）６０で被蓋する。
【００２１】
なお、図１０で、３１は揺動部材３０のバネ、３２はパッキン、３３は折り曲げ可能な把手、３４は吊紐である。
【００２２】
次に、直接飲み用栓体４０は、図１０において間接飲み用栓体２０や外蓋６０を容器本体１から取り外して、同容器本体１に支障なく取り付けられるものでなければならない。つまり、この直接飲み用栓体４０は、容器本体１の内部と外部とを連通する栓内液通路４９をも形成するストロー等からなる直接飲み部材４８と、前記栓内液通路４９を開閉する弁体４７とを有し、開弁時に直接飲み部材４８の飲み口４８ａに直接に口をつけて内溶液を飲むようにしたものであればよい。
【００２３】
図２〜図９に示した直接飲み用栓体４０は、内底部に弁体ガイド筒４２と直接飲み部材ガイド筒４３とを突設した筒状の筒体４４と、該筒体４４の外方に同筒体４４上端部に一体形成したスカート部４５とからなる栓本体４１と、上記筒体４４上端部に無理嵌め等により一体形成した栓蓋４６と、前記弁体ガイド筒４２内に上下動可能に嵌挿した弁体４７と、直接飲み部材ガイド筒４３に上下動可能に嵌挿され栓内液通路４９をも形成するストロー等の直接飲み部材４８と、前記栓蓋４６に摺動自在に設けたスライダー５０とを備えている。
【００２４】
また、栓本体４１のスカート部４５には雌ねじ４５ａが形成してある。従って、この直接飲み用栓体４０の取付け時には、直接飲み用栓体４０の筒体４４を容器本体１の栓孔３に嵌挿するとともに、該直接飲み用栓体４０のスカート部４５の雌ねじ４５ａを前記容器本体の肩部１ｃに形成した雄ねじ７に螺合して容器本体１の栓孔３を閉塞する。この場合、直接飲み用栓体４０は、該直接飲み用栓体４０の栓本体４１つまり筒体４４の外周に形成した雄ねじ４４ａを、容器本体１の開口縁に形成されて間接飲み用栓体２０の雄ねじ２１ａに螺合される雌ねじ６に螺合するようにしてある。
【００２５】
弁体４７は、前記間接飲み用栓体２０に用いた弁体２７と同一構成としてあり、ばね受４２ｂと弁体ガイド筒４２の内底面間に設けた弁体用ばね４２ａで常時は閉弁方向（上方向）に付勢されている。
【００２６】
直接飲み部材４８の中程位置には鍔部４８ｂが形成され、この鍔部４８ｂと直接飲み部材ガイド筒４３内底面との間にはばね４８ｃを介装しており、このばね４８ｃの弾発力により該直接飲み部材４８は常時には上方に付勢されている。直接飲み部材４８の上端部は飲料する人が口をつける飲み口４８ａである。
【００２７】
スライダー５０は、階段状に形成した平板部５１と該平板部５１の低板部５０ａに垂下したリブ５２とからなっており、リブ５２の下端底面には傾斜面（カム面）５２ａが形成されている。従って、スライダー５０が、図２〜図５の如く閉弁状態時においては、スライダー５０の高板部５０ｂが直接飲み部材４８の頂面をばね４８ｃの付勢力に抗して押圧することで、鍔部４８ｂが直接飲み部材ガイド筒４３の頂面に当接する位置まで該直接飲み部材４８が下動姿勢に保持されるとともに、リブ５２の傾斜面５２ａの高い部分が弁体４７の弁棒部４７ａの頂面に接しているだけで、弁座部４７ｂが栓パッキン５３に密着して栓内液通路４９（直接飲み部材４８）の入口を封止する。
【００２８】
図２〜図５の閉弁状態でスライダー５０を開弁方向（図２、図３で右方向）に摺動すると、図６〜図９に示す開弁状態となるとともに、直接飲み部材４８が上動した状態となり飲み口から内溶液が飲料できる状態となる。
すなわち、閉弁状態でスライダー５０を開弁方向に摺動すると、図６に示すように、スライダー５０のリブ５２に形成した傾斜面５２ａの低い部分が弁体４７の弁棒部４７ａの頂面を下動するため弁体４７も下動して、弁座部４７ｂによる栓内液通路４９（直接飲み部材４８）の入口が開放されるとともに、スライダー５０の高板部５０による直接飲み部材４８の頂面の抑制が解除されて、ばね４８ｃの付勢力により該直接飲み部材４８は栓蓋４６上面より上方へ飛び出して飲み口４８ａに口つけ易い姿勢となる。
【００２９】
図６〜図９の開弁状態から図２〜図５の如く閉弁状態とするには、図６〜図９の開弁状態において、直接飲み用栓体４０の外方へ突出させている直接飲み部材４８の突出部４８ｄ又は直接飲み部材４８自体を手指で下動してから、スライダー５０を閉弁方向（図６、図７で左方向）に摺動するとよい。すなわち、図６、図７の状態でスライダー５０を閉弁方向に摺動すると、図２に示すように、スライダー５０のリブ５２に形成した傾斜面５２ａの高い部分が弁体４７の弁棒部４７ａの頂面と当接するため弁体４７が上動し閉弁状態となるとともに、スライダー５０の高板部５０ｂによってばね４８ｃのバネ力に抗して直接飲み部材４８の頂部が押圧され、該直接飲み部材４８が直接飲み用栓体４０内に収納される。
【００３０】
なお、前述した直接飲み部材４８の突出部４８ｄがあると、直接飲み部材４８の下動時に直接飲み部材４８自体を手指で触って操作しなくて良いので、直接飲み部材４８を汚すことがなくなり衛生的である。
【００３１】
前記第１実施形態における二種類の栓体（間接飲み用栓体２０、直接飲み用栓体４０）のうち使用する栓体は、図１０のように容器本体１の栓孔３に嵌挿されるが、他方の未使用の栓体は袋などに収納した状態で容器本体に付設した把手や吊紐に取り付けておくとか、又は当該液体容器とは別の場所に用意しておくものである。
【００３２】
【発明の実施の形態２】
本発明の実施の形態の第２例を図１１に基づいて以下に説明する。
【００３３】
この場合の液体容器は、図１０と図１１を比較すれば判るように、間接飲み用栓体２０及び直接飲み用栓体４０の構造、両栓体２０、４０を選択して嵌挿するための容器本体１の栓孔３の構造、外蓋６０及び直接飲み用栓体４０を螺合する雄ねじ７の構造は、前記第１実施形態のものと同一である。
【００３４】
しかしながら、この第２実施形態の液体容器は、容器本体１の底部に収納凹部１０を形成し、この収納凹部１０に二種類の栓体２０、４０のうち使用しない栓体を収納するようにしてある点に特徴を有する。つまり、使用する栓体（２０または４０）は容器本体１の栓孔３に嵌挿するとともに、使用しない栓体（４０または２０）は同一の容器本体１の収納凹部１０に収納するものである。これによって１つの液体容器に二種類の栓体（２０、４0)を組み込んでおけるので、常時に二種類の栓体を忘れることなく揃えておけて使用勝手がよい上に、外観上も見苦しくないし、容器本体１の底部の有効利用が達成できる。
【００３５】
この場合、図１１に示すように、容器本体１の肩部１ｃに形成した雄ねじ７に雌ねじ６１を螺合して間接飲み用栓体２０を被覆する外蓋６０と、この外蓋６０の外方に該外蓋６０に螺合するような第２の外蓋６３を用意しておく。図１１で、６２は外蓋６０に形成した雄ねじ、６４は第２の外蓋６３に形成した雌ねじである。
【００３６】
そして、直接飲み用栓体４０のスカート部４５を段状に形成して雄ねじ４５ｂを形成し、該スカート部４５の雌ねじ４５ａを容器本体１の底部の外周側壁に形成した雄ねじ８に螺合する。
【００３７】
そこで、容器本体１の底部に形成した収納凹部１０に直接飲み用栓体４０を収する場合には、直接飲み用栓体４０を前記収納凹部１０に収納するとともに、スカート部４５の雌ねじ４５ａを容器本体１の底部に形成した雄ねじ８と螺合し、次にスカート部４５の雄ねじ４５ｂに第２の外蓋６３の雌ねじ６４を螺合する。一方、収納凹部１０に間接飲み用栓体２０を収納する場合には、間接飲み用栓体２０を前記収納凹部１０に収納するとともに、外蓋６０の雌ねじ６１を容器本体１の底部の雄ねじ８に螺合するとよい。このとき、直接飲み用栓体４０は第２の外蓋６３と一体となって容器本体１の肩部１ｃの雄ねじ７に螺合される。
【００３８】
容器本体１の底部に形成した収納凹部１０への栓体の収納について、更に具体的な構造を図１１に沿って以下に説明する。
すなわち、容器本体１の底部に形成した収納凹部１０の下部内周側壁には、前記容器本体１の栓孔３に形成した雌ねじ６と同一の雌ねじ１１を形成するとともに、容器本体１の底部の外周側壁には前記肩部１ｃに形成した雄ねじ７と同一の雄ねじ８を形成している。
【００３９】
それゆえ、前記収納凹部１０に直接飲み用栓体４０を収納する場合には、図１１に示すように、該直接飲み用栓体４０の筒体４４に形成した雄ねじ４４ａを前記収納凹部１０の雌ねじ１１に、また直接飲み用栓体４０のスカート部４５に形成した雌ねじ４５ａを容器本体１の底部に形成した前記雄ねじ８に、それぞれ螺合するとともに、該直接飲み用栓体４０のスカート部４５に形成した雄ねじ４５ｂに第２の外蓋６３に形成した雌ねじ６４を螺合して、第２の外蓋６３により直接飲み用栓体４０を被蓋する。このとき、間接飲み用栓体２０は、図１１に示す如く、容器本体１の栓孔３に嵌挿され、該間接飲み用栓体２０は外蓋６０で被蓋されている。
【００４０】
一方、前記収納凹部１０に間接飲み用栓体２０を収納する場合には、図示していないが、図１１を参考にして説明すると、該間接飲み用栓体２０の雄ねじ２１ａを前記収納凹部１０の雌ねじ１１に螺合するとともに、容器本体１の底部の外周側壁６０に形成した雄ねじ８に外蓋６０の雌ねじ６１を螺合して、該外蓋６０で間接飲み用栓体２０を被蓋するようにしてある。このとき、直接飲み用栓体４０は、図２に示すように、容器本体１の栓孔３に嵌挿されるとともに、栓孔３部の雌ねじ６と直接飲み用栓体４０の雄ねじ４４ａ、容器本体１の肩部１ｃに形成した雄ねじ７と直接飲み用栓体４０の雌ねじ４５ａとはそれぞれ螺合される。
【００４１】
【発明の実施の形態３】
本発明の実施の形態の第３例を図１２と図１３に基づいて以下に説明する。
【００４２】
この第３の実施形態は、前記第１の実施形態の変形例と言えるものであって、両者は直接飲み用栓体の構造のみが異なり、間接飲み用栓体や容器本体その他の構造は第１の実施形態のものと同一であるので、図１及び図１０に対応する図面は省略した。従って、本実施形態においては、間接飲み用栓体や容器本体等は図１及び図１０を参照すべきである。
【００４３】
この場合の直接飲み用栓体４０は、第１実施形態のものがスライダー５０によって弁体４７の開閉と直接飲み部材４８の出没を同時に行なうスライダー方式であるのに対し、この第３実施形態では、弁体４７の開閉と直接飲み部材４８の出没とを押しボタン方式で同時に行なうものである。
【００４４】
すなわち、この場合の栓本体４１は図２のものと同様に形成してあり、この栓本体４１の上部空室には、直接飲み部材４８と、直接飲み部材４８の飲み口４８ａを開閉するとともに弁体４７を下動して開弁する揺動部材７０と、揺動部材７０を作動する押しボタン７６が設けてある。
【００４５】
直接飲み部材４８は、下端が直接飲み部材ガイド筒４３の上端を嵌挿するとともに、下部外周壁に鍔部４８ｂを形成した第１直接飲み部材４８Ａと、該第１直接飲み部材４８Ａの上部を外嵌めして同第１直接飲み部材４８Ａより上動されるとともに、先端に飲み口４８ａを有する第２直接飲み部材４８Ｂとからなっている。
【００４６】
揺動部材７０は、断面が略しゃくし状のものであって、一端側には第１直接飲み部材４８Ａと第２直接飲み部材４８Ｂとが二重管状態時において飲み口４８ａを封止するシール部７１を形成し、他端側には押しボタン７６で下動される作動部７２とを有し、枢支点７３を回動中心として該揺動部材７０が回動されるようになっている。
【００４７】
この押しボタン式の直接飲み用栓体４０の作動について以下に説明する。
図１２は閉弁状態であって、直接飲み部材４８が揺動部材７０のシール部７１で封止されているので、飲み口４８ａに口をつけて内溶液を飲むことはできない。
この図１２の閉弁状態において、押しボタン７６を押すと、揺動部材７０の他端部の作動部７２が枢支点７３を回動中心として時計方向に回動されるに伴い、図１３に示すように、弁体４７が下動され開弁される。それと同時に揺動部材７０のシール部７１は前記枢支点７３を回動中心として時計方向に回動されて飲み口４８ａが開放される。そこで飲み口４８ａに口をつけて容器本体１内の内容液を飲むことができる。このとき、直接飲み部材４８は、第１直接飲み部材４８Ａは常時に栓体上方に突出されているが、この第１直接飲み部材４８Ａの高さ位置より第２直接飲み部材４８Ｂを手で上方へ引き上げると図１３のように更に高くなるので、飲み易くなる。
【００４８】
この開弁状態から図１２の如く閉弁状態とするには、第２直接飲み部材４８の上端面を第１直接飲み部材４８Ａの上端面と同一面となるように、該第２直接飲み部材４８Ｂを押し下げて、揺動部材７０のシール部７１が前記第１、２の直接飲み部材４８Ａ、４８Ｂの上端面を密着するまで反時計方向に回動する。すると、揺動部材７０の作動部７２によって弁体用ばね４２ａに抗して開弁されていた弁体４７が、図１２のように、弁体用ばね４２ａの付勢力によって上動し、栓内液通路４９をも構成する直接飲み部材４８の入口を閉弁し閉弁状態となる。
【００４９】
【発明の実施の形態４】
本発明の実施の形態の第４例を図１４と図１５に基づいて以下に説明する。
【００５０】
この第４実施形態の液体容器の栓は、間接飲み用栓体２０が図１と同一構造で栓本体２１と栓副体２３とを分離可能に構成し、前記栓副体２３を他の栓副体と交換することによって直接飲み用栓体４０としても使用できるようにしたものである。
つまり、栓本体２１に、第１栓副体２３または第２栓副体８３を選択して取り付けることにより、液体容器の栓として、間接飲み用栓体２０又は直接飲み用栓体４０に使い分けることができる。
【００５１】
すなわち、前記間接飲み用栓体２０と直接飲み用栓体４０はいずれも栓本体２１と栓副体とで分離可能に形成し、栓本体２１は１個で間接飲み用栓体２０と直接飲み用栓体４０として共通して使用でき、栓副体は間接飲み用栓体２０用の第１栓副体２３と直接飲み用栓体４０用の第２栓副体８３とで構成してある。そして、容器本体１の栓孔３に着脱自在に螺着した略筒状の栓本体２１に対して、前記第１栓副体２３と第２栓副体８３とを差し替えることにより、間接飲み用栓体２０または直接飲み用栓体４０として選択使用できるように構成してある。その他の構成は第１〜第３の実施形態を参考にするとよい。
なお、栓本体２１には、閉栓時に容器本体の栓孔３を封止するパッキン３２と、該栓本体２１と栓副体２３、８３とで形成される栓内液通路２５、４９を開閉する弁体２７とを設けてある。
【００５２】
間接飲み用栓体２０の具体的構成は図１と同一であるので、詳細は第１実施形態の説明を参考にするとよい。
【００５３】
直接飲み用栓体４０は、栓本体として前記間接飲み用栓体２０の栓本体２１（パッキン３２と弁体７とを設けてある）を共用し、この栓本体２１に第２栓副体８３を着脱自在に取り付けたものである。この場合の第２栓副体８３は、本発明では特に限定しないで適宜設計変更できるものであるが、この第４実施形態では図１５に示されているように、図１４に示した第１栓副体２３の上部外周縁にスカート部４５の基端を一体に形成し、該スカート部４５を外方へ拡開して垂設しているとともに、スカート部４５の一部に図１２に示す如き直接飲み部材４８を突設してなり、その他は第１栓副体２３と同一構成としている。なお、図１５で８５はキャップである。
【００５４】
この第２栓副体８３には、図１２に示すような、揺動部材７０や第１、第２の直接飲み部材４８Ａ、４８Ｂは構成されていず、飲み口４８ａは飛び上がるものではなく固定式である。
【００５５】
この第４実施形態によれば、本願の液体容器の使用者の立場から言えば、通常は、栓本体２１に第１栓副体２３を結合して間接飲み用栓体２０として使用し、必要に応じて栓体を直接飲みに切り替えたいときには、前記第１栓副体２３を栓本体２１から取り外してから、該栓本体２１に第２栓副体８３を結合して容器本体１の栓孔３に嵌挿するとよい。従って、この液体容器の栓は栓本体２１を１個と第１栓副体２３を１個と第２栓副体８３を１個の合計３個を１組として１つの液体容器に備えておくことにより、前述のように２つの使用態様に切り替えられる。また、本願の液体容器の栓の生産者の立場から言えば、１個の栓本体２１（パッキン３２と弁体７とを設けてある）を間接飲み用栓体２０と直接飲み用栓体４０とに共用して、各々の栓本体を必要としないため、部品が省略できるとともに栓体の製造費用が安価にできる。
また、第４実施形態の場合も、図１０、図１１のように使用することができるのは勿論である。
【００５６】
【変形例等】
外蓋６０又は直接飲み用栓体４０の雌ねじ６１、４５ａが螺合される雄ねじ７は、各実施形態では、容器本体１の肩部位置に無理嵌め等により固定した別部材の肩部１ｃに形成しているが、例えば、前記別部材の肩部１ｃを設けずに容器本体１の外容器１Ｂの首部外周に雄ねじ７を形成する構成も実施できる。
【００５７】
直接飲み用栓体４０は、図２〜図９に示すスライド式や図１２〜図１３に示す押しボタン式に限らず、回動式その他適宜設計変更できる。
【００５８】
間接飲み用栓体２０と直接飲み用栓体４０とを、選択して、容器本体１に固定する手段としては、各実施形態に示した容器本体１の肩部１ｃに形成した雄ねじ７に、間接飲み用栓体２０の外蓋６０の雌ねじ６１を螺合できるだけでなく、同雄ねじ７に直接飲み用栓体４０の雌ねじ４５ａを螺合できるようにしているが、このような螺合方式に限らずその他の固定方式を採用することもできる。
【００５９】
【発明の効果】
請求項１の発明によれば、容器本体の栓孔に着脱自在に嵌挿される１個の栓本体に対して、間接飲み用栓体用の第１栓副体と直接飲み用栓体用の第２栓副体とを差し替えることにより、間接飲み用栓体または直接飲み用栓体として選択使用できて、パッキン及び弁体とを設けた栓本体が共用できるため、部品点数がより一層少なくでき構造が簡単となる。
【００６０】
請求項２の発明によれば、使用中の栓体は容器本体の栓孔に嵌挿するとともに、不使用中の栓体は前記容器本体の底部に形成した収納凹部に収納することができるから、常時に二種類の栓体を１つの容器本体の上下両端部に保持しておけるため、使い勝手がよく便利である上に、外観上も見苦しくないし、容器本体の底部の有効利用が達成でる。
【図面の簡単な説明】
【図１】第１実施形態における間接飲み用栓体を閉弁した状態の一部断面図である。
【図２】第１実施形態における直接飲み用栓体を閉弁した状態の一部断面図である。
【図３】図２の平面図である。
【図４】図２で直接飲み用栓体を２７０度反時計方向に回転した場合の一部断面図である。
【図５】図４の平面図である。
【図６】直接飲み用栓体を開弁した状態の一部断面図である。
【図７】図６の平面図である。
【図８】図６で直接飲み用栓体を２７０度反時計方向に回転した場合の一部断面図である。
【図９】図８の平面図である。
【図１０】図１の栓体を含む液体容器の全体を示した断面図である。
【図１１】第２実施形態における全体の構成を示す断面図である。
【図１２】第３実施形態における直接飲み用栓体を閉弁した状態の一部断面図である。
【図１３】図１２における弁体を開放した状態の一部断面図である。
【図１４】第４実施形態における間接飲み用栓体を閉弁した状態の一部断面図である。
【図１５】第４実施形態における直接飲み用栓体を閉弁した状態の一部断面図である。
【符号の説明】
１              容器本体
１ｃ            肩部
３              栓孔
６              雌ねじ
７              雄ねじ
８              雄ねじ
１０            収納凹部
２０            間接飲み用栓体
２１            栓本体
２１ａ          雄ねじ
２３            栓副体（第１栓副体）
２５            栓内液通路
２５ａ          注出口
２７            弁体
３０            揺動部材
４０            直接飲み用栓体
４１            栓本体
４２ａ          弁体用ばね
４４ａ          雄ねじ
４５ａ          雌ねじ
４５ｂ          雄ねじ
４７            弁体
４８            直接飲み部材
４８ａ          飲み口
４９            栓内液通路
５０            スライダー
６０            外蓋
６１            雌ねじ
６３            第２の外蓋
６４            雌ねじ
７０            揺動部材
７１            シール部
７２            作動部
７６            押しボタン
８３            第２栓副体
【図１】
0003716721.tif 000002
【図２】
0003716721.tif 000003
【図３】
0003716721.tif 000004
【図４】
0003716721.tif 000005
【図５】
0003716721.tif 000006
【図６】
0003716721.tif 000007
【図７】
0003716721.tif 000008
【図８】
0003716721.tif 000009
【図９】
0003716721.tif 000010
【図１０】
0003716721.tif 000011
【図１１】
0003716721.tif 000012
【図１２】
0003716721.tif 000013
【図１３】
0003716721.tif 000014
【図１４】
0003716721.tif 000015
【図１５】
0003716721.tif 000016